(57)【要約】【課題】排水立て管との合流部側から通気管への水の流入を抑制することの可能な合流部構造を提供する。【解決手段】竪管集合継手４１の上部には、竪管端部２６Ａが接続される竪管連結部４１Ａが形成されている。竪管連結部４１Ａには、複数の竪管２６の竪管端部２６Ａが接続されている。竪管集合継手４１には、竪管連結部４１Ａが形成されている上面からさらに上側に突出するように凸部４１Ｄが構成され、凸部４１Ｄの上面に通気管端部３０Ａが接続される通気管連結部４１Ｂが形成されている。通気管連結部４１Ｂには、通気管３０の通気管端部３０Ａが接続されている。したがって、通気管端部３０Ａは、竪管端部２６Ａよりも高い位置に配置されている。【選択図】  図２
2008156924.tif 000002
【特許請求の範囲】
【請求項１】
排水を流下させることによりサイフォン力を発生させる竪管と、
複数の前記竪管が下流側で合流する合流部と、
前記合流部に接続された通気管と、
を備え、
前記合流部に接続された前記通気管の通気管端部が、前記竪管の竪管端部よりも高い位置に配置されていることを特徴とする、合流部構造。
【請求項２】
前記合流部は、排水立て管と連結される合流部継手で構成され、
前記合流部継手には、前記竪管端部が連結される竪管連結部と、前記竪管連結部よりも上側に配置され前記通気管端部が連結される通気管連結部と、が形成されていること、
を特徴とする請求項１に記載の合流部構造。
【請求項３】
前記合流部は、排水立て管と連結される合流部継手で構成され、
前記竪管端部は前記通気管端部よりも下側まで前記合流部継手へ挿入されていること、を特徴とする請求項１に記載の合流部構造。
【請求項４】
前記竪管及び前記通気管の上流側端部は、水回り器具からの排水を一時貯留する貯留槽に連結されていること、を特徴とする請求項１乃至請求項３のいずれか１項に記載の合流部構造。
【発明の詳細な説明】
【技術分野】
【０００１】
本発明は、サイフォン排水システムにおいて、複数の竪管を合流させる合流部の構造に関する。
【背景技術】
【０００２】
近年、従来の勾配排水システムに代わって、サイフォン排水システムが提案されている。サイフォン排水システムは、特許文献１に記載されるように、水回り器具とサイフォン排水管とで構成されており、サイフォン排水管２の垂下部をなす竪管３にて発生するサイフォン力（負圧力）を利用して、水回り器具からの排水効率を向上させるシステムである。（図５参照）
【０００３】
そして、更に、サイフォン排水システムにおいて、排水システム中に貯留槽４を配置する、サイフォン排水システムも提案されている。
【特許文献１】特開平６−４２０１９号公報
【０００４】
上記のように、貯留槽４を配置する場合には、貯留槽内に水が流入し、又流出される際に貯留槽４内の圧力が変化することから、図７に示すように、貯留槽４内のエアの給排気を行う通気管５の設置が好ましい。かかる通気管５に水が入ると、通気不良となり排水不具合を生じさせることが考えられる。
【発明の開示】
【発明が解決しようとする課題】
【０００５】
通気管への排水の流入を防ぐため、貯留槽側では、貯留槽の頂上部近傍や排水が入り込みにくい場所に通気管の接続口を設けたり、貯留槽のサイズを大きくしたりする対策が考えられる。
【０００６】
一方、排水立て管１２との合流部側においても、通気管への排水の流入を防ぐための対策を考える必要がある。図７（Ａ）に示すように、通気管５と竪管３とが異なる部分（Ｃ１とＣ２）で排水立て管と合流している構造の場合には、合流継手が増えてしまうが、通気管５がサイフォン排水の影響を直接受けることはない。しかしながら、図７（Ｂ）に示すように、通気管と竪管とが同じ合流部分Ｃ２で排水立て管と合流している構造の場合には、通気管はサイフォン排水の影響を受けることになる。すなわち、図８（Ａ）に示すように、竪管３から合流部Ｃ２への水の流入により、合流部分Ｃ２の内部は正圧になり、通気管５から貯留槽４へ向かって空気が流れる。これにより、合流部分Ｃ２と貯留槽４との間での圧力バランスが取られており、この点は、この構造のメリットといえる。また、図７（Ｂ）に示す構成であれば、竪管と通気管の合流部分を少なくすることができ、図８（Ａ）に示す構成と比較して、合流継手も少なくてよいという効果もある。ところが、前述の空気の流れに伴って、図８（Ｂ）に示すように、竪管３から通気管５側へ水が引っ張られ、通気管５へ水が流入することも考えられる。
【０００７】
本発明は、上記事実に鑑みてなされたものであり、排水立て管との合流部側から通気管への水の流入を抑制することの可能な合流部構造を提供することを目的とする。
【課題を解決するための手段】
【０００８】
本発明の請求項１に記載の合流部構造は、排水を流下させることによりサイフォン力を発生させる竪管と、複数の前記竪管が下流側で合流する合流部と、前記合流部に接続された通気管と、を備え、前記合流部に接続された前記通気管の通気管端部が、前記竪管の竪管端部よりも高い位置に配置されていることを特徴とする。
【０００９】
本発明では、竪管と通気管とは、同一合流部で排水立て管と合流されているが、通気管の通気管端部が、竪管の竪管端部よりも高い位置に配置されている。したがって、竪管端部から排出された排水が、排出位置よりも高い位置に配置された通気管端部へは届きにくく、通気管への水の流入を抑制することができる。
【００１０】
なお、合流部は、排水立て管などの他の配管へ竪管を合流させるための継手であってもよいし、その他の配管に直接合流する部分であってもよい。
【００１１】
請求項２に記載の合流部構造は、前記合流部は、排水立て管と連結される合流部継手で構成され、前記合流部継手には、前記竪管端部が連結される竪管連結部と、前記竪管連結部よりも上側に配置され前記通気管端部が連結される通気管連結部と、が形成されていること、を特徴とする。
【００１２】
竪管及び通気管が、合流部継手を介して排水立て管と合流している場合には、上記のように、合流部継手の通気管連結部を竪管連結部よりも上側に配置することにより、通気管端部を竪管端部よりも高い位置に配置することができる。
【００１３】
請求項３に記載の合流部構造は、前記合流部は、排水立て管と連結される合流部継手で構成され、前記竪管端部は前記通気管端部よりも下側まで前記合流部継手へ挿入されていること、を特徴とする。
【００１４】
竪管及び通気管が、合流部継手を介して排水立て管と合流している場合には、上記のように、竪管端部を通気管端部よりも下側まで合流部継手へ挿入することにより、合流部継手の形状を変更することなく、通気管端部を竪管端部よりも高い位置に配置することができる。
【発明の効果】
【００１５】
本発明は上記のように通気管の通気管端部を、竪管の竪管端部よりも高い位置に配置したので、通気管への水の流入を抑制することができる。
【発明を実施するための最良の形態】
【００１６】
以下に、本発明に係る実施形態の一例を図面に基づき説明する。
【００１７】
まず、本実施形態に係るサイフォン排水システムの全体構成を説明する。図１には、本実施形態に係るサイフォン排水システムの全体構成が概略図にて示されている。
【００１８】
本実施形態に係るサイフォン排水システム１０は、サイフォン力を利用して水回り器具からの排水を効率よく排出する排水システムである。
【００１９】
本実施形態では、複数の水回り器具からの排水を一時的に貯留する貯留槽を用いたサイフォン排水システムに本発明の合流部構造を適用した例を説明する。サイフォン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。
【００２０】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽２０の上部と接続されている。貯留槽２０は、複数の水回り器具１６からの排水を貯留可能とされており、排水導入管１８は、貯留槽２０側が低くなるように勾配をもって配設されている。
【００２１】
貯留槽２０には、サイフォン排水管２２が接続されている。サイフォン排水管２２は、床スラブ１４に沿って配設される横引き管２４と、この横引き管２４と連通する竪管２６とを備えて構成されている。横引き管２４は、貯留槽２０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００２２】
横引き管２４及び竪管２６は、１本の排水管で構成され、合流部継手４０までは他の排水管と途中で合流することなく、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００２３】
貯留槽２０には、さらに、通気管３０が接続されている。通気管３０は、サイフォン排水管２２に沿って配設され、合流部継手４０を介して排水立て管１２と連結されている。
【００２４】
合流部継手４０は、図２に示すように、竪管集合継手４１、及び、集合管接続継手４２で構成されている。なお、竪管集合継手４１及び集合管接続継手４２は、一体的に構成されていてもよい。
【００２５】
竪管集合継手４１の上部には、竪管２６の端部（以下「竪管端部２６Ａ」という）が接続される竪管連結部４１Ａが形成されている。竪管連結部４１Ａには、複数（本実施形態では３本）の竪管２６の竪管端部２６Ａが接続されている。竪管集合継手４１には、竪管連結部４１Ａが形成されている上面からさらに上側に突出するように凸部４１Ｄが構成され、凸部４１Ｄの上面に通気管３０の端部（以下「通気管端部３０Ａ」という）が接続される通気管連結部４１Ｂが形成されている。凸部４１Ｄの内側空間の水平方向の断面積は、通気管３０の径に対して充分広くなっている。通気管連結部４１Ｂには、通気管３０の通気管端部３０Ａが接続されている。したがって、通気管端部３０Ａは、竪管端部２６Ａよりも高い位置に配置されている。
【００２６】
集合管接続継手４２は、一端が竪管集合継手４１の下流側と接続され、他端が排水立て管１２と接続されている。
【００２７】
上記サイフォン排水システム１０によれば、水回り器具１６から排出された排水は、貯留槽２０へ流入し、貯留槽２０から横引き管２４、竪管２６、合流部継手４０を経て排水立て管１２へ合流する。サイフォン排水管２２内を満流で排水が流れると、サイフォン水頭Ｈｓのポテンシャルエネルギ−により、サイフォン力が発生する。このサイフォン力により、横引き管２４及び竪管２６内の排水が誘導され、その排水が促進される。
【００２８】
このようにサイフォン力により排水が行われているとき、竪管集合継手４１内へは、竪管２６から排水が流入する。これにより、竪管集合継手４１内は正圧となるが、一方で、排水が流出される貯留槽２０では負圧となる。そこで、通気管３０から貯留槽２０へ向かって空気が流れ、竪管集合継手４１内と貯留槽２０との間での圧力バランスが取られている。
【００２９】
本実施形態では、通気管端部３０Ａが竪管端部２６Ａよりも高い位置に配置されているので、竪管２６から流出された排水の通気管３０への流入を抑制することができる。すなわち、竪管２６から流出された排水が前述の空気の流れに引っ張られたとしても、通気管３０へ入り込むためには、高い位置まで上昇する必要があり、通気管３０へ届く前に落下させることができる。
【００３０】
なお、本実施形態では、竪管集合継手４１に凸部４１Ｄを設けて通気管端部３０Ａを竪管端部２６Ａよりも高い位置に配置したが、竪管集合継手４１に必ずしも凸部４１Ｄを設ける必要はない。図３に示すように、竪管連結部４１Ａと通気管連結部４１Ｂとを、竪管集合継手４１の上面の同一高さ位置に形成し、竪管端部２６Ａを通気管端部３０Ａよりも下側まで挿入する構成としてもよい。
【００３１】
また、図４に示すように、通気管３０と竪管集合継手４３とを一体的に構成し、通気管端部３０Ａを竪管集合継手４３の頂部付近に配置すると共に、竪管連結部４３Ａを竪管集合継手４３の側面に形成して、竪管端部２６Ａを接続する構成としてもよい。
【００３２】
また、本実施形態では、貯留槽２０を備えたサイフォン排水システムに本発明の合流部構造を適用する例を説明したが、通気管を備えたサイフォン排水システムであれば、貯留槽を有さない方式にも適用することができる。
【００３３】
また、本実施形態に係るサイフォン排水システム１０は、水回り器具からの排水を効率よく排出するものとして説明したが、雨水など水回り器具１６以外からの排水を効率よく排出するために用いられるものや、工場における冷却水などに用いられるサイフォン排水システムでもよい。
【００３４】
また、本実施形態では、竪管を排水立て管に合流させた例で説明したが、図６に示すように、竪管及び通気管を地下ピット５０に接続する場合の合流部５２にも適用することができる。この場合には、地下ピット５０へ排水を導入する導入管５４の端部に設けられた合流部５６において、竪管２６の端部を通気管３０の端部よりも低い位置に配置すればよい。
【００３５】
また、本実施形態では、サイフォン排水システムは集合住宅に用いられていたが、戸建住宅等の低層建築物に用いられるものであっても良い。この場合には、図５に示すように、鉛直方向に配置された管６０に竪管２６及び通気管３０を接続する際に、竪管２６の端部を通気管３０の端部よりも低い位置に配置すればよい。
【図面の簡単な説明】
【００３６】
【図１】本実施形態に係るサイフォン排水システムの全体構成を示す概略図である。
【図２】本実施形態に係るサイフォン排水システムの合流部継手付近の構造を示す図である。
【図３】本実施形態に係るサイフォン排水システムの合流部継手付近の構造の変形例を示す図である。
【図４】本実施形態に係るサイフォン排水システムの合流部継手付近の構造の他の変形例を示す図である。
【図５】本実施形態に係るサイフォン排水システムを戸建て住宅へ適用した例を示す概略図である。
【図６】本実施形態に係るサイフォン排水システムを地下ピットへ適用した例を示す概略図である。
【図７】従来のサイフォン排水システムの全体構成を示す概略図である。
【図８】従来のサイフォン排水システムの合流部継手付近の構造を示す図である。
【符号の説明】
【００３７】
１０  サイフォン排水システム
２２  サイフォン排水管
２６  竪管
２６Ａ  竪管端部
３０  通気管
３０Ａ  通気管端部
４０  合流部継手
４１  竪管集合継手
４１Ａ  竪管連結部
４１Ｂ  通気管連結部
４１Ｄ  凸部
４２  集合管接続継手
４３  竪管集合継手
４３Ａ  竪管連結部
【図１】
2008156924.tif 000003
【図２】
2008156924.tif 000004
【図３】
2008156924.tif 000005
【図４】
2008156924.tif 000006
【図５】
2008156924.tif 000007
【図６】
2008156924.tif 000008
【図７】
2008156924.tif 000009
【図８】
2008156924.tif 000010